(57)【要約】【課題】耐摩耗性及び防滑性に優れた釣り用履き物２の提供。【解決手段】釣り用履き物２は、アッパー４、ミッドソール６、面ファスナー８及びアウトソール１０を備えている。アウトソール１０は、面ファスナー８によってミッドソール６と積層されている。アウトソール１０は、爪先部２４、踵部２６及び主部２８からなる。爪先部２４及び踵部２６は、ゴム組成物が架橋されることで得られる。このゴム組成物は、ガラス繊維を含んでいる。主部は、ゴム組成物が架橋されることで得られる。このゴム組成物は、ガラス繊維を含んでいない。爪先部２４及び踵部２６は、加硫接着によって主部２８と接合されている。【選択図】図１
2009172180.tif 000002
【特許請求の範囲】
【請求項１】
アッパー、ミッドソール及びアウトソールを備えており、
このアウトソールが、爪先部、踵部及び主部を有しており、
この爪先部又は踵部が短繊維を含むゴム組成物からなり、主部が短繊維を含まないゴム組成物からなる釣り用履き物。
【請求項２】
上記爪先部、踵部及び主部の基材ゴムがブチルゴムである請求項１に記載の履き物。
【請求項３】
上記短繊維がガラス繊維である請求項１に記載の履き物。
【請求項４】
上記短繊維の量が、基材ゴム１００質量部に対して３質量部以上４０質量部以下である請求項１に記載の履き物。
【請求項５】
上記アウトソールがミッドソールに対して着脱自在である請求項１に記載の履き物。
【請求項６】
アッパー、ミッドソール及びアウトソールを備えており、
このアウトソールが、爪先部、踵部及び主部を有しており、
この爪先部又は踵部が短繊維を含む第一ゴム組成物からなり、主部が短繊維を含む第二ゴム組成物からなり、
この第一ゴム組成物における短繊維の量が第二ゴム組成物における短繊維の量よりも多い釣り用履き物。
【発明の詳細な説明】
【技術分野】
【０００１】
本発明は、釣り人に着用される履き物に関する。
【背景技術】
【０００２】
船釣りにおいて、足が濡れることを防ぐ目的で、釣り人がブーツを着用することがある。このブーツは、ゴム組成物が架橋されてなるアウトソールを備えている。デッキの上は、濡れていることが多い。デッキでのスリップを抑制する目的で、アウトソールにブチルゴムが用いられることがある。アウトソールは、その底面に凹凸模様を備えている。このアウトソールは、「ラジアルソール」と称されている。ラジアルソールを備えたブーツが、株式会社シマノ発行の「2007 Fishing Tackle Catalogue」の第２２７ページに開示されている。
【０００３】
アウトソールが、面ファスナーにてミッドソールに接合されたブーツが存在する。このアウトソールは、ミッドソールから着脱自在である。このブーツでは、摩耗したアウトソールがミッドソールから剥がされる。ミッドソールには、新品のアウトソールが接合される。このブーツは、アウトソールのみが交換されることで、長期間にわたって使用されうる。
【非特許文献１】株式会社シマノ発行の「2007 Fishing Tackle Catalogue」
【発明の開示】
【発明が解決しようとする課題】
【０００４】
ブチルゴムが用いられたアウトソールは、耐摩耗性に劣る。特に、爪先部及び踵部は、摩滅しやすい。爪先部及び踵部が摩滅したブーツが使用され続けると、ミッドソールも摩滅する。ミッドソールが摩滅したブーツにおいて、アウトソールが交換されても、アウトソールがミッドソールから容易に離脱してしまう。耐摩耗性に優れた材料も存在するが、この材料は、一般的には、デッキの上での防滑性に劣る。
【０００５】
本発明の目的は、耐摩耗性及び防滑性に優れた釣り用履き物の提供にある。
【課題を解決するための手段】
【０００６】
本発明に係る釣り用履き物は、アッパー、ミッドソール及びアウトソールを備える。このアウトソールは、爪先部、踵部及び主部を有する。この爪先部及び踵部の一方又は両方は、短繊維を含むゴム組成物からなる。主部は、短繊維を含まないゴム組成物からなる。
【０００７】
好ましくは、爪先部、踵部及び主部の基材ゴムは、ブチルゴムである。好ましい短繊維は、ガラス繊維である。短繊維の量は、基材ゴム１００質量部に対して３質量部以上４０質量部以下が好ましい。アウトソールがミッドソールに対して着脱自在である履き物において、短繊維の配合が特に効果を奏する。
【０００８】
他の観点によれば、本発明に係る釣り用履き物は、アッパー、ミッドソール及びアウトソールを備える。このアウトソールは、爪先部、踵部及び主部を有する。この爪先部及び踵部の一方又は両方は、短繊維を含む第一ゴム組成物からなる。主部は、短繊維を含む第二ゴム組成物からなる。この第一ゴム組成物における短繊維の量は、第二ゴム組成物における短繊維の量よりも多い。
【発明の効果】
【０００９】
本発明に係る釣り用履き物では、短繊維により、爪先部及び踵部の摩耗が抑制される。主部は、短繊維を含まないか、又は少量の短繊維を含むので、短繊維によって防滑性が阻害されない。この履き物は、耐摩耗性及び防滑性の両方に優れる。
【発明を実施するための最良の形態】
【００１０】
以下、適宜図面が参照されつつ、好ましい実施形態に基づいて本発明が詳細に説明される。
【００１１】
図１は、本発明の一実施形態に係る釣り用履き物２が示された正面図である。この履き物２は、ブーツである。ブーツ２は、アッパー４、ミッドソール６、面ファスナー８及びアウトソール１０を備えている。図示されていないが、ブーツ２はインソールも備えている。
【００１２】
アッパー４は、 典型的には、ポリ塩化ビニルからなる。このアッパー４は、強度及び剛性に優れる。図示されていないが、アッパー４は、その内面に裏地を備えている。アッパー４が、他の合成樹脂からなってもよい。アッパー４が、ゴムからなってもよい。アッパー４は、足部１２及び脛部１４を備えている。足部１２は、人体の足を包み、足を保護する。脛部１４は、人体の脛を包み、脛を保護する。
【００１３】
ミッドソール６は、ゴム組成物が架橋されてなる。ミッドソール６には、強度に優れたゴムが用いられる。好ましいゴムとしては、天然ゴム、ブタジエンゴム及びスチレン−ブタジエンゴムが例示される。ミッドソール６は、接着剤によってアッパー４と接合されている。ミッドソール６が、加硫接着によってアッパー４と接合されてもよい。ミッドソール６が合成樹脂からなってもよい。ミッドソール６は、その外縁にリブ１６を備えている。リブ１６は、下向きに垂下している。
【００１４】
面ファスナー８は、フック面１８とループ面２０とを備えている。フック面１８は、接着剤によってミッドソール６に接合されている。ループ面２０は、接着剤によってアウトソール１０に接合されている。フック面１８がアウトソール１０に接合され、ループ面２０がミッドソール６に接合されてもよい。典型的な面ファスナー８は、ベルクロ社のマジックテープ（登録商標）である。ミッドソール６のリブ１６は、面ファスナー８よりも下方にまで延在している。
【００１５】
アウトソール１０は、面ファスナー８によってミッドソール６と積層されている。アウトソール１０の上部は、リブ１６に囲まれている。リブ１６により、アウトソール１０のミッドソール６からの意図せぬ離脱が防止される。アウトソール１０は、接地面２２を有する。地面との擦動によって接地面２２が摩耗した場合、アウトソール１０がミッドソール６から剥がされる。そして、新たなアウトソール１０が面ファスナー８によって接合される。図示されていないが、接地面２２は凹凸模様を備えている。この凹凸模様は、デッキ上での排水に寄与する。凹凸模様により、優れた防滑性が達成されうる。
【００１６】
図２は、図１のブーツのアウトソール１０が示された底面図である。図１及び２に示されるように、アウトソール１０は、爪先部２４、踵部２６及び主部２８からなる。図２において二点鎖線で示されているのは、人体の拇指球３０である。拇指球３０の直下は、主部２８である。
【００１７】
爪先部２４は、ゴム組成物が架橋されることで得られる。爪先部２４は、加硫接着によって主部２８と接合されている。ゴム組成物の基材ゴムとしては、ブチルゴム、天然ゴム、ブタジエンゴム、スチレン−ブタジエンゴム及びアクリロニトリル−ブタジエンゴムが例示される。後述される主部２８の基材ゴムと同一のゴムが、爪先部２４に用いられうる。
【００１８】
爪先部２４のゴムは、硫黄によって架橋されている。有機過酸化物架橋、金属塩架橋、電子線架橋等が採用されてもよい。爪先部２４のゴム組成物には、加硫促進剤、架橋助剤、補強材、充填剤、老化防止剤、軟化剤、着色剤等の添加剤が、必要に応じて適量配合される。
【００１９】
爪先部２４のゴム組成物は、短繊維を含んでいる。短繊維は、爪先部２４に分散している。短繊維により、爪先部２４の耐摩耗性が高められている。このアウトソール１０は、長持ちする。このアウトソール１０により、ミッドソール６のリブ１６の摩滅が抑制されうる。短繊維を含むので、爪先部２４の硬度は高い。高硬度の爪先部２４は、変形しにくく、従ってミッドソール６から離脱しにくい。
【００２０】
好ましい短繊維は、ガラス繊維である。ガラス繊維は、高硬度である。ガラス繊維の一部が爪先部２４の底面から露出することにより、ガラス繊維の引っ掻き効果が得られうる。引っ掻き効果により、爪先部２４の防滑性が高められうる。爪先部２４に、炭素繊維、金属繊維又は有機繊維が分散してもよい。
【００２１】
短繊維の太さは、１μｍ以上が好ましい。太さが１μｍ以上である短繊維により、爪先部２４の耐摩耗性が高められる。この観点から、太さは３μｍ以上がより好ましい。太さは、１００μｍ以下が好ましく、５０μｍ以下がより好ましい。
【００２２】
短繊維の長さは、０．１ｍｍ以上が好ましい。長さが０．１ｍｍ以上である短繊維は、爪先部２４から離脱しにくい。この観点から、長さは０．２ｍｍ以上がより好ましく、０．５ｍｍ以上が特に好ましい。ゴム組成物の混練作業の容易の観点から、長さは３０ｍｍ以下が好ましく、１０ｍｍ以下がより好ましい。
【００２３】
短繊維のアスペクト比は、２以上が好ましい。アスペクト比が２以上である短繊維は、爪先部２４から離脱しにくい。この観点から、アスペクト比は１０以上がより好ましく、２０以上が特に好ましい。アスペクト比は１００以下が好ましく、７０以下がより好ましい。
【００２４】
短繊維の量は、基材ゴム１００重量部に対して３質量部以上が好ましい。量が３質量部以上である爪先部２４は、耐摩耗性に優れる。この観点から、量は５質量部以上がより好ましく、１０質量部以上が特に好ましい。爪先部２４の柔軟性の観点から、短繊維の量は４０質量部以下が好ましく、３０質量部以下がより好ましく、２５質量部以下が特に好ましい。
【００２５】
踵部２６は、ゴム組成物が架橋されることで得られる。踵部２６は、加硫接着によって主部２８と接合されている。踵部２６には、爪先部２４と同一のゴム組成物が用いられている。換言すれば、踵部２６には短繊維が分散している。爪先部２４と同様、踵部２６も、短繊維によってその耐摩耗性が高められている。爪先部２４及び踵部２６の一方のみが短繊維を含んでもよい。
【００２６】
主部２８は、ゴム組成物が架橋されることで得られる。ゴム組成物の基材ゴムとしては、ブチルゴム、天然ゴム、ブタジエンゴム、スチレン−ブタジエンゴム及びアクリロニトリル−ブタジエンゴムが例示される。特に好ましいゴムは、ブチルゴムである。ブチルゴムは、ウエットグリップ性に優れる。主部２８及び爪先部２４にブチルゴムが用いられることにより、主部２８と爪先部２４との優れた接合力が達成されうる。主部２８及び踵部２６にブチルゴムが用いられることにより、主部２８と踵部２６との優れた接合力が達成されうる。
【００２７】
主部２８のゴムは、硫黄によって架橋されている。有機過酸化物架橋、金属塩架橋、電子線架橋等が採用されてもよい。主部２８のゴム組成物には、加硫促進剤、架橋助剤、補強材、充填剤、老化防止剤、軟化剤、着色剤等の添加剤が、必要に応じて適量配合される。
【００２８】
主部２８のゴム組成物は、短繊維を含んでいない。この主部２８は柔軟であり、かつウエットグリップ性に優れている。前述の通り、拇指球３０の直下は主部２８である。主部２８には、拇指球３０からの大きな力が加わる。この主部２８に短繊維を含まないゴム組成物が用いられることにより、優れた防滑性が達成されうる。
【００２９】
主部２８のゴム組成物が、短繊維を含んでもよい。この場合、短繊維は少量である。少量の短繊維は、主部２８のウエットグリップ性を阻害しない。主部２８の短繊維の量は、爪先部２４又は踵部２６の短繊維の量よりも少なく設定される。これにより、爪先部２４又は踵部２６の耐摩耗性と主部２８のウエットグリップ性とが両立されうる。爪先部２４又は踵部２６における基材ゴム１００質量部に対する短繊維の量Ｘと、主部２８における基材ゴム１００質量部に対する短繊維の量Ｙとの差（Ｘ−Ｙ）は５質量部以上が好ましく、１０質量部以上がより好ましい。
【００３０】
図２において、矢印Ｌで示されているのはアウトソール１０の全長であり、矢印Ｌｔで示されているのは爪先部２４の長さである。爪先部２４の耐摩耗性の観点から、この比率は３％以上が好ましく、５％以上がより好ましい。防滑性の観点から、全長Ｌに対する長さＬｔの比率は２０％以下が好ましい。
【００３１】
爪先部２４の耐摩耗性の観点から、アウトソール１０の底面の面積に対する爪先部２４の底面の面積の比率は３％以上が好ましく、５％以上がより好ましい。防滑性の観点から、この比率は２０％以下が好ましい。
【００３２】
図２において矢印Ｌｈで示されているのは、踵部２６の長さである。踵部２６の耐摩耗性の観点から、全長Ｌに対する長さＬｈの比率は３％以上が好ましく、５％以上がより好ましい。防滑性の観点から、この比率は２０％以下が好ましい。
【００３３】
踵部２６の耐摩耗性の観点から、アウトソール１０の底面の面積に対する踵部２６の底面の面積の比率は３％以上が好ましく、５％以上がより好ましい。防滑性の観点から、この比率は２０％以下が好ましい。
【産業上の利用可能性】
【００３４】
本発明に係る履き物は、種々の釣り場において利用されうる。
【図面の簡単な説明】
【００３５】
【図１】図１は、本発明の一実施形態に係る釣り用履き物（ブーツ）が示された正面図である。
【図２】図２は、図１のブーツのアウトソールが示された底面図である。
【符号の説明】
【００３６】
２・・・釣り用履き物（ブーツ）
４・・・アッパー
６・・・ミッドソール
８・・・面ファスナー
１０・・・アウトソール
１６・・・リブ
１８・・・フック面
２０・・・ループ面
２４・・・爪先部
２６・・・踵部
２８・・・主部
【図１】
2009172180.tif 000003
【図２】
2009172180.tif 000004